(57)【要約】【課題】  電動操作時に電動部の故障が発生した場合でも緊急避難的に手動操作へ容易に切り替え可能な遠隔操作式排水栓装置を提供することを目的とする。【解決手段】  手動による遠隔操作の入力を受け付ける手動スイッチ２１と、電気信号による遠隔操作の入力に基づいて動作指示を出力する電動操作指示部と、手動スイッチ２１の操作および電動操作指示部からの動作指示のいずれかにより昇降するスイッチ軸と、弁体を昇降させるワイヤへスイッチ軸の昇降を伝達する駆動部と、手動スイッチ２１がスイッチ軸を回転させる操作を受け付けたときに、電動操作指示部からスイッチ軸への動力伝達を遮断して手動による遠隔操作に切り替える切替手段とを備え、手動スイッチ２１は、その上面に摘持可能なツマミ部２２を有し、ツマミ部２２の回転によりスイッチ軸を回転させる操作を受け付ける。【選択図】図７
2018193806.tif 000002
【特許請求の範囲】
【請求項１】
槽体底部の排水口を弁体の昇降で開閉させ、前記弁体の昇降を手動による遠隔操作と電気信号による遠隔操作とを兼用する遠隔操作式排水栓装置であって、
手動による遠隔操作の入力を受け付ける手動操作部と、
電気信号による遠隔操作の入力に基づいて動作指示を出力する電動操作指示部と、
手動操作部の操作および電動操作指示部からの動作指示のいずれかにより昇降するスイッチ軸と、
前記弁体を昇降させるワイヤへスイッチ軸の昇降を伝達する駆動部と、
手動操作部が前記スイッチ軸を回転させる操作を受け付けたときに、前記電動操作指示部からスイッチ軸への動力伝達を遮断して手動による遠隔操作に切り替える切替手段とを備え、
前記手動操作部は、その上面に摘持可能なツマミ部を有し、当該ツマミ部の回転により前記スイッチ軸を回転させる操作を受け付ける
ことを特徴とする遠隔操作式排水栓装置。
【請求項２】
前記ツマミ部は、前記手動操作部の上面から上方へ突出する凸状部である
ことを特徴とする請求項１記載の遠隔操作式排水栓装置。
【請求項３】
前記ツマミ部は、前記手動操作部の上面から下方へ掘り下げられた凹状部である
ことを特徴とする請求項１記載の遠隔操作式排水栓装置。
【請求項４】
前記ツマミ部は、中心側へ向けて周縁を切り欠いて、周方向に形成される切欠部を有する
ことを特徴とする請求項１〜３のいずれか１項に記載の遠隔操作式排水栓装置。
【請求項５】
前記ツマミ部は、外側へ向けて周方向に形成される凸部を有する
ことを特徴とする請求項１〜３のいずれか１項に記載の遠隔操作式排水栓装置。
【発明の詳細な説明】
【技術分野】
【０００１】
本発明は、洗面台や浴槽等の槽体の排水口を、遠隔的に開閉操作する遠隔操作式排水栓装置に関するものである。
【背景技術】
【０００２】
洗面台や浴槽などの槽体の排水口を、排水口に直接手を触れることなく、槽体の近傍に設けられた操作部に操作を加えることで遠隔的に開閉操作する遠隔操作式排水栓装置が知られている。電動操作部からの電気信号に基づいてモーターを駆動し、弁体を昇降させて排水口を開閉するものも知られている。例えば、特許文献１では、手動と電動とを使用者が適宜選択して使用することができ、電動駆動部や動力伝達部が破損しにくい排水栓装置が開示されている。
【先行技術文献】
【特許文献】
【０００３】
【特許文献１】特開２００３−２４７２５４号公報
【発明の概要】
【発明が解決しようとする課題】
【０００４】
しかしながら、上記従来の排水栓装置では、電動操作時に電動部の故障が発生した場合、浴槽のエプロン部分を取り外し、さらに操作部の下方に配置されている駆動部も取り外して故障原因を探らなければならず、その間、手動操作ができなくなるという問題がある。
【０００５】
そこで、本発明は、このような問題に鑑みなされたものであり、電動操作時に電動部の故障が発生した場合でも緊急避難的に手動操作へ容易に切り替え可能な遠隔操作式排水栓装置を提供することを目的とする。
【課題を解決するための手段】
【０００６】
上記の課題を解決するため、本発明に係る遠隔操作式排水栓装置は、槽体底部の排水口を弁体の昇降で開閉させ、前記弁体の昇降を手動による遠隔操作と電気信号による遠隔操作とを兼用する遠隔操作式排水栓装置であって、手動による遠隔操作の入力を受け付ける手動操作部と、電気信号による遠隔操作の入力に基づいて動作指示を出力する電動操作指示部と、手動操作部の操作および電動操作指示部からの動作指示のいずれかにより昇降するスイッチ軸と、前記弁体を昇降させるワイヤへスイッチ軸の昇降を伝達する駆動部と、手動操作部が前記スイッチ軸を回転させる操作を受け付けたときに、前記電動操作指示部からスイッチ軸への動力伝達を遮断して手動による遠隔操作に切り替える切替手段とを備え、前記手動操作部は、その上面に摘持可能なツマミ部を有し、当該ツマミ部の回転により前記スイッチ軸を回転させる操作を受け付けることを特徴とする。
【０００７】
これにより、手動操作部の上面のツマミ部を回転させるだけで、電動操作指示部からの動力伝達を遮断して手動操作のみを受け付ける完全手動状態に切り替えるので、電動操作指示部が故障する等が発生しても、緊急避難的に手動操作へ容易に切り替えることができる遠隔操作式排水栓装置が実現可能となる。
【０００８】
ここで、前記ツマミ部は、前記手動操作部の上面から上方へ突出する凸状部であるとしてもよく、前記ツマミ部は、前記手動操作部の上面から下方へ掘り下げられた凹状部であるとしてもよい。
【０００９】
これにより、操作者はツマミ部を摘まみやすくなり、手動操作への切替が容易となる。
【００１０】
また、前記ツマミ部は、中心側へ向けて周縁を切り欠いて、周方向に形成される切欠部を有するとしてもよく、前記ツマミ部は、外側へ向けて周方向に形成される凸部を有するとしてもよい。
【００１１】
これによれば、操作者はツマミ部の周方向の切欠部または凸部を５本の指先で摘まみやすくなり、手動操作への切替をさらに容易にすることができる。
【発明の効果】
【００１２】
以上のように、本発明に係る遠隔操作式排水栓装置によれば、手動操作部の上面に形成されたツマミ部を回転させるだけで、電動操作指示部からの動力伝達を遮断して手動操作のみを受け付けるようにするので、電動操作指示部が故障する等の異常状態に陥っても、緊急避難的に手動操作へ容易に切り替えることが可能となる。
【図面の簡単な説明】
【００１３】
【図１】遠隔操作式排水栓装置の平面図である。
【図２】図１のＡ−Ａ線断面図である。
【図３】図１のＢ−Ｂ線断面図である。
【図４】図２のＣ−Ｃ線断面図である。
【図５】手動操作部の一例を示す斜視図である。
【図６】遠隔操作式排水栓装置を浴槽に設置した例を示す斜視図である。
【図７】完全手動状態の手動操作部を示す拡大斜視図である。
【図８】通常使用時における弁体開口状態の手動操作部を示す拡大斜視図である。
【図９】通常使用時における弁体閉口状態の手動操作部を示す拡大斜視図である。
【図１０】手動操作部の別の例を示す斜視図である。
【図１１】完全手動状態の手動操作部を示す拡大斜視図である。
【図１２】通常使用時における弁体開口状態の手動操作部を示す拡大斜視図である。
【図１３】通常使用時における弁体閉口状態の手動操作部を示す拡大斜視図である。
【図１４】手動操作部の別の例を示す斜視図である。
【図１５】通常使用時における弁体開口状態の手動操作部を示す拡大斜視図である。
【図１６】通常使用時における弁体閉口状態の手動操作部を示す拡大斜視図である。
【図１７】手動操作部の別の例を示す斜視図である。
【図１８】通常使用時における弁体開口状態の手動操作部を示す拡大斜視図である。
【図１９】通常使用時における弁体閉口状態の手動操作部を示す拡大斜視図である。
【図２０】手動操作部の別の例を示す斜視図である。
【図２１】通常使用時における弁体開口状態の手動操作部を示す拡大斜視図である。
【図２２】通常使用時における弁体閉口状態の手動操作部を示す拡大斜視図である。
【発明を実施するための形態】
【００１４】
以下、本発明に係る遠隔操作式排水栓装置について図を参照しながら説明する。
【００１５】
図１は遠隔操作式排水栓装置の平面図であり、図２はＡ−Ａ線断面を示す図である。図３はＢ−Ｂ線断面を示す断面図であり、図４は図２のＣ−Ｃ線断面を示す図である。
【００１６】
本実施形態に係る遠隔操作式排水栓装置１は、洗面台や浴槽等の槽体の排水口を、遠隔的に開閉操作する装置であり、槽体４の底部にある排水口５内に設けられた弁体６と、弁体６に接続され内部のインナーワイヤーの進退により弁体６を昇降させるワイヤ１５と、手動操作および電動操作のいずれかの操作入力により昇降するスイッチ軸１２の動きをワイヤ１５へ伝達する駆動部１３と、駆動部１３を収容する駆動部収納部１４とを備えている。
【００１７】
手動スイッチ１１は、手動による遠隔操作の入力を受け付け、手動操作の入力によりスイッチ軸１２を昇降させる。手動操作部である手動スイッチ１１は、遠隔操作式排水栓装置１の上面に配置され、槽体４が浴槽の場合は、浴槽の上縁に配置される。以下では、槽体４が浴槽の場合を例に挙げて説明する。
【００１８】
スイッチ軸１２は、手動スイッチ１１の操作により昇降し、また、電動操作によっても昇降する軸部材であり、その昇降の動きが駆動部１３を介してワイヤ１５へ伝達される。
【００１９】
駆動部１３は、手動操作および電動操作のいずれかの操作入力により昇降するスイッチ軸１２の動きをワイヤ１５へ伝達する。駆動部１３は、手動操作の場合には、手動スイッチ１１を押下する操作によりスイッチ軸１２を昇降させ、その動きをワイヤ１５へ伝達する。電動操作の場合には、浴室外（例えば、台所）に設置された電動操作部からの操作入力に基づいて駆動部１３はスイッチ軸１２を昇降させ、その動きをワイヤ１５へ伝達する。
【００２０】
なお、電動操作部基板１９が電気回路を搭載した基板であり、入力された電動操作に基づいて動作の指示を出力する電動操作指示部となっている。電動操作部基板１９は浴室外（例えば、台所）に設置された電動操作部からの操作入力に基づいてモーター１４ａを起動させる。モーター１４ａが作動すると、モーター１４ａの回転がラックとピニオンギアとで構成されるギア部１３ａによってスイッチ軸１２を昇降させる動力に変換され、駆動部１３へ伝達される。
【００２１】
駆動部収納部１４は、駆動部１３やモーター１４ａ、電動操作部基板１９を収容する収納部である。水が流入することでモーター１４ａや電動操作部基板１９等の電動部材に故障が発生することがある。また、水に含まれるゴミやヌメリ成分によってスイッチ軸１２の動きが阻害されることもある。駆動部収納部１４は、駆動部１３やモーター１４ａ、電動操作部基板１９を収容して外部から水や異物が入らないようにするためのものである。
【００２２】
信号発生部１６は、スイッチ軸１２の先端に設けられて、所定の信号を発生させる。信号受信部１７は、モーター１４ａ側に設けられ、信号発生部１６の発生させる信号を検知するセンサである。ここでは、信号発生部１６として磁性体を用いており、信号受信部１７として磁気センサを用いている。すなわち、スイッチ軸１２の先端に凹部を形成して磁性体を嵌め入れ、磁気センサである信号受信部１７が磁性体の発する磁気を検知するときは正常状態とし、信号受信部１７が磁気を検知しないときは異常状態とする。ここでは信号受信部１７を上下に配置している。スイッチ軸１２への動力伝達が正常であれば、スイッチ軸１２の先端の信号発生部１６は上下の信号受信部１７のいずれかと正対するので磁気を検知することができる。一方、スイッチ軸１２への動力伝達が異常をきたすと、スイッチ軸１２の先端の信号発生部１６は上下どちらの信号受信部１７とも正対しなくなるので磁気を検知することができなくなる。
【００２３】
なお、ここにいう異常状態とは、信号発生部１６の信号を信号受信部１７が受信しない場合に限られるものではない。信号発生部１６の信号を信号受信部１７が受信している場合でも異常状態は発生しうる。異常状態としては、モーター１４ａ等の動力部の故障、信号受信部１７等のセンサ部の故障、ギア部１３ａ等の動力伝達部の異常が考えられる。動力部の故障には、モーター１４ａの故障により、全く作動しない場合や、モーター１４ａが作動し続ける過負荷状態、モーター１４ａの脱調状態がある。センサ部の故障には、信号受信部１７の故障により全く検知しない状態がある。動力伝達部の異常には、ラックとピニオンギアが異常位置で停止する場合がある。異常位置での停止は、停電等で途中で停止してしまうときに起こりうる。
【００２４】
切替手段１８は、上記のような異常状態に陥ったとき、手動による任意の操作に基づいて、電動操作部基板１９側から駆動部１３への動力伝達を遮断する。手動による任意の操作とはスイッチ軸１２を回転させる操作である。図４（ａ）は、信号発生部１６と信号受信部１７とが正対する位置にあって信号受信部１７が信号発生部１６の磁気を検知しており、電動操作部基板１９側からの動力伝達がされている正常状態である。ここで、モーター１４ａ等の動力部の故障や、信号受信部１７等のセンサ部の故障、ギア部１３ａ等の動力伝達部の不具合等の異常状態が発生した場合に、スイッチ軸１２を回転させる操作を受け付けると切替手段１８は、図４（ｂ）に示すように、信号発生部１６と信号受信部１７との位置がずれて信号受信部１７が信号発生部１６の磁気を検知しなくなり異常状態を維持した上で、電動操作部基板１９側からの動力伝達を遮断し、手動スイッチ１１による手動操作のみを受け付けるように切り替える。また、切替手段１８は、手動による任意の操作と反対の操作に基づいて、すなわち、反対方向へスイッチ軸１２を回転させる操作により動力伝達の遮断を解除可能に構成されている。
【００２５】
以下では、スイッチ軸１２を回転させる操作を受け付ける手動操作部の構成について例を挙げながら説明する。
【００２６】
図５に示す手動スイッチ２１は、ツマミ部２２と本体部２３とで構成されている。手動スイッチ２１は、押し操作によって浴槽２の排水口に位置する弁体を上下動させて排水口を開閉させる手動操作部である。また、手動スイッチ２１は、スイッチ軸１２を回転させる操作を受け付ける手動操作部でもあり、回転操作で手動操作のみを受け付ける完全手動状態への切替を可能とする。
【００２７】
ツマミ部２２は、手動スイッチ２１の上面から、操作者が指先で摘みやすい高さに突出して形成される凸状部である。なお、ツマミ部２２は凸状部でなくても、手動スイッチ２１の上面から下方へ操作者が指先で摘みやすい深さに掘り下げて凹状部を形成することにより構成してもよい。すなわち、ツマミ部２２は、手動スイッチ２１の上面に操作者が摘持可能に形成されるツマミ片やツマミ構造であれば足り、後に例示するように、その形状は種々のものが考えられる。
【００２８】
本体部２３は、手動スイッチ２１を配置するために浴槽の上縁に穿設される孔と同一形状（その多くは円柱形状）を有し、手動スイッチ２１の上下動により上記孔を摺動する手動スイッチ２１の本体部分である。
【００２９】
図６では、遠隔操作式排水栓装置が浴槽２に配置された例が示されている。なお、ホース３はワイヤ１５等を被覆するためのものである。
【００３０】
図７に完全手動状態にある手動スイッチ２１の位置を示す。図８に通常使用時（電動操作正常時）における弁体が開口した状態にある手動スイッチ２１の位置を示す。図９に通常使用時（電動操作正常時）における弁体が閉口した状態にある手動スイッチ２１の位置を示す。操作者が手動スイッチ２１のツマミ部２２を摘まみ、浴槽２の長手方向と平行にツマミ部２２を回転させる操作を行うと、切替手段１８は電動操作部基板１９側からの動力伝達を遮断し、手動スイッチ２１による手動操作のみを受け付ける完全手動状態に切り替える。また、操作者が手動スイッチ２１のツマミ部２２を摘まみ、浴槽２の奥行き方向と平行にツマミ部２２を回転させる操作を行うと、切替手段１８は電動操作部基板１９側からの動力伝達の遮断を解除し、電動操作部からの操作入力と手動スイッチ２１による手動操作とを受け付けるように切り替える。弁体が開口した状態（弁体が上昇した状態）のときでも、ツマミ部２２を摘まむことができるようになっており、弁体が開口状態であると閉口状態であるとを問わず、ツマミ部２２を回転操作することで弁体の開閉を手動で切替できるように構成されている。なお、ここでは、ツマミ部２２が浴槽２の長手方向と平行になっている位置を完全手動状態としているが、これとは反対に、ツマミ部２２が浴槽２の奥行き方向と平行になっている位置を完全手動状態としてもよい。
【００３１】
別の例として、図１０に示す手動スイッチ３１は、ツマミ部３２と本体部３３とで構成されている。
【００３２】
ツマミ部３２が十字型に形成されている点で、上記の手動スイッチ２１と異なっている。その他は手動スイッチ２１の例と同様である。
【００３３】
図１１に完全手動状態にある手動スイッチ３１の位置を示す。同様に、図１２に通常使用時（電動操作正常時）における弁体が開口した状態にある手動スイッチ３１の位置を示す。図１３に通常使用時（電動操作正常時）における弁体が閉口した状態にある手動スイッチ３１の位置を示す。
【００３４】
なお、ここでは、図１１に示すツマミ部３２の十字方向が浴槽２の長手方向と奥行き方向と一致する場合を完全手動状態としているが、これとは反対に、図１３に示すツマミ部３２の十字方向が浴槽２の長手方向と奥行き方向と一致しない場合を完全手動状態としてもよい。
【００３５】
また、別の例として、図１４に手動スイッチ４１を示す。手動スイッチ４１は、本体部４３の上に設けられているツマミ部４２に、中心側へ向けて周縁を切り欠いて、周方向に切欠部４４を形成することにより、操作者が５本の指先でツマミ部４２を摘みやすいようにして手動スイッチ４１の回転操作を容易ならしめるものである。なお、ここでは切欠部４４を一定の間隔で周方向に全周に亘って形成しているが、一部のみ切欠部４４を形成するようにしてもよい。
【００３６】
図１５に通常使用時（電動操作正常時）における弁体が開口した状態にある手動スイッチ４１の位置を示す。図１６に通常使用時（電動操作正常時）における弁体が閉口した状態にある手動スイッチ４１の位置を示す。
【００３７】
さらに、別の例として、図１７に手動スイッチ５１を示す。手動スイッチ５１は、本体部５３の上に設けられているツマミ部５２に、外側へ向けて周方向に凸部５４を形成することにより、操作者が５本の指先でツマミ部５２を指先で摘みやすいようにして手動スイッチ５１の回転操作を容易ならしめるものである。なお、ここでは凸部５４を一定の間隔で周方向に全周に亘って形成しているが、一部のみ凸部５４を形成するようにしてもよい。
【００３８】
図１８に通常使用時（電動操作正常時）における弁体が開口した状態にある手動スイッチ５１の位置を示す。図１９に通常使用時（電動操作正常時）における弁体が閉口した状態にある手動スイッチ５１の位置を示す。
【００３９】
図２０に手動スイッチ６１を示す。手動スイッチ６１は、手動スイッチ６１の上面から下方へ操作者が指先で摘みやすい深さに本体部６３を掘り下げて凹状部６４を形成することによりツマミ部６２を構成するものである。
図２１に通常使用時（電動操作正常時）における弁体が開口した状態にある手動スイッチ６１の位置を示す。図２２に通常使用時（電動操作正常時）における弁体が閉口した状態にある手動スイッチ６１の位置を示す。
凹状部６４を形成することによりツマミ部６２を構成する手動スイッチ６１によれば、浴槽上縁からツマミ部６２が突出することなく浴槽上縁と面一となり、使用者が浴槽に入る際に足をツマミ部６２に引っ掛けるおそれがない。また、浴槽上縁部を清掃する際にツマミ部６２が突起していないため清掃作業がしやすいというメリットがある。
【００４０】
このように構成された遠隔操作式排水栓装置１は、手動によるスイッチ軸１２の回転操作に基づいて、切替手段１８が電動操作部基板１９側からの動力伝達を遮断して手動操作のみを受け付けるようにするので、電動操作指示部が故障する等の異常状態に陥っても、電動操作指示部からの動力伝達を遮断し、緊急避難的に完全手動状態へ切り替えることができる。このとき、手動操作部である手動スイッチの上面に凸状のツマミ部が形成されているので、操作者が指先で摘みやすくなり容易に回転操作を実行することができる。
【００４１】
以上、本発明に係る遠隔操作式排水栓装置について、実施形態に基づいて説明したが本発明はこれに限定されるものではなく、本発明の目的を達成でき、かつ発明の要旨を逸脱しない範囲内で種々設計変更が可能であり、それらも全て本発明の範囲内に包含されるものである。
【００４２】
例えば、上記実施の形態では、槽体が浴槽の場合を例に挙げて説明したが、槽体は浴槽に限られるものではなく、洗面台やシンクなどであってもよい。
【産業上の利用可能性】
【００４３】
本発明は、洗面台や浴槽等の槽体の排水口を、遠隔的に開閉操作する遠隔操作式排水栓装置として有用であり、特に電動および手動の両操作部を兼ね備えた遠隔操作式排水栓装置に好適である。
【符号の説明】
【００４４】
１    遠隔操作式排水栓装置
２    浴槽
３    ホース
４    槽体
５    排水口
６    弁体
１１，２１，３１，４１，５１，６１    手動スイッチ
１２    スイッチ軸
１３    駆動部
１３ａ  ギア部
１４    駆動部収納部
１４ａ  モーター
１５    ワイヤ
１６    信号発生部
１７    信号受信部
１８    切替手段
１９    電動操作部基板
２２，３２，４２，５２，６２  ツマミ部
２３，３３，４３，５３，６３  本体部
４４    切欠部
５４    凸部
６４    凹状部
【図１】
2018193806.tif 000003
【図２】
2018193806.tif 000004
【図３】
2018193806.tif 000005
【図４】
2018193806.tif 000006
【図５】
2018193806.tif 000007
【図６】
2018193806.tif 000008
【図７】
2018193806.tif 000009
【図８】
2018193806.tif 000010
【図９】
2018193806.tif 000011
【図１０】
2018193806.tif 000012
【図１１】
2018193806.tif 000013
【図１２】
2018193806.tif 000014
【図１３】
2018193806.tif 000015
【図１４】
2018193806.tif 000016
【図１５】
2018193806.tif 000017
【図１６】
2018193806.tif 000018
【図１７】
2018193806.tif 000019
【図１８】
2018193806.tif 000020
【図１９】
2018193806.tif 000021
【図２０】
2018193806.tif 000022
【図２１】
2018193806.tif 000023
【図２２】
2018193806.tif 000024